(57)【要約】【課題】ユーザが特に操作をしなくても、ユーザが普段希望するモードで動画を撮影記録することができるとともに、ユーザがモードを変更して動画を撮影記録しようとするときには、容易にモードを変更することができるようにする。【解決手段】動画を撮影記録する場合、制御部は、動画圧縮コーデック、ビットレートおよび画像サイズについては、直近の所定日数の期間内の動画記録履歴に最も多く出現するモードを、当該の動画の記録モードとする。図示する動画記録履歴の場合には、動画圧縮コーデックはＳＤ画質（標準画質）とし、ビットレートはＳＰ（スタンダードプレイ）とし、画像サイズは１４４０×１０８０画素とする。【選択図】図５
2010057000.tif 000002
【特許請求の範囲】
【請求項１】
動画を撮影する撮像部と、
この撮像部から得られた動画像データを処理する画像処理部と、
この画像処理部の出力の動画像データが記録される記憶装置部と、
記録済みの動画に基づいて、新たに撮影記録する動画についての、少なくとも動画圧縮コーデック、ビットレートおよび画像サイズに関する記録モードを決定する制御部と、
を備える画像記録装置。
【請求項２】
請求項１の画像記録装置において、
上記制御部は、直近の所定日数または所定時間の期間内の記録済みの動画につき設定された上記記録モードの頻度に基づいて、上記新たに撮影記録する動画についての上記記録モードを決定する画像記録装置。
【請求項３】
請求項２の画像記録装置において、
上記制御部は、動画像データとは別に管理ファイルとして記録されている管理情報から、上記頻度を検出する画像記録装置。
【請求項４】
請求項２の画像記録装置において、
上記制御部は、動画像データに付属する情報から、上記頻度を検出する画像記録装置。
【請求項５】
動画を撮影記録する装置が、動画の撮影記録に当たって、記録モードを決定する方法として、記録済みの動画に基づいて、新たに撮影記録する動画についての、少なくとも動画圧縮コーデック、ビットレートおよび画像サイズに関する記録モードを決定する画像記録方法。
【請求項６】
動画を撮影記録する装置が備えるコンピュータを、
記録済みの動画に基づいて、新たに撮影記録する動画についての、少なくとも動画圧縮コーデック、ビットレートおよび画像サイズに関する記録モードを決定する手段、
として機能させる画像記録用プログラム。
【発明の詳細な説明】
【技術分野】
【０００１】
この発明は、動画を撮影記録する装置および方法に関する。
【背景技術】
【０００２】
デジタルビデオカメラなどでは、動画の撮影記録時の、動画圧縮コーデックやビットレートなどの記録モードとして、それぞれ複数のモード（パラメータ、値）が用意される。
【０００３】
例えば、動画圧縮コーデックとしては、ＭＰＥＧ４−ＡＶＣ（Ｈ．２６４）によるＨＤ（Ｈｉｇｈ  Ｄｅｆｉｎｉｔｉｏｎ）画質、およびＭＰＥＧ２によるＳＤ（Ｓｔａｎｄａｒｄ  Ｄｅｆｉｎｉｔｉｏｎ）画質が用意される。
【０００４】
ビットレートとしては、例えば、ＦＨ（フルハイビジョンで、約１６Ｍｂｐｓ）、ＨＱ（ハイクォリティーで、約９Ｍｂｐｓ）、ＳＰ（スタンダードプレイで、約７Ｍｂｐｓ）、およびＬＰ（ロングプレイで、約５Ｍｂｐｓ）が用意される。“Ｍｂｐｓ”は、メガビット／秒である。
【０００５】
１項目の記録モード内の複数のモードのうちの１つは、デフォルトモード（デフォルト値）とされる。例えば、動画圧縮コーデックでは、ＳＤ画質（標準画質）がデフォルトとされ、ビットレートでは、ＳＰ（スタンダードプレイ）がデフォルトとされる。
【０００６】
ユーザが各項目の記録モードをデフォルトモードに対して変更しなければ、各項目の記録モードにつきデフォルトモードで動画が撮影記録される。
【０００７】
これに対して、ユーザが一部または全部の項目の記録モードをデフォルトモードに対して変更すれば、その項目の記録モードについてはデフォルトモードと異なるモードで動画が撮影記録される。
【０００８】
特許文献１（特開２００２−７７７８６号公報）には、複数のフレームを含む動画をファイルとして記憶装置に記録する場合に、ユーザのファイルフォーマットに関する好みを記述することが示されている。
【０００９】
また、特許文献２（特開２００７−２０２１３５号公報）には、ファイル形式の管理情報である管理ファイルによって、記憶装置に記録されている多数の動画や静止画のデータファイルを管理することが示されている。
【００１０】
上に挙げた先行技術文献は、以下の通りである。
【特許文献１】特開２００２−７７７８６号公報
【特許文献２】特開２００７−２０２１３５号公報
【発明の開示】
【発明が解決しようとする課題】
【００１１】
例えば、動画圧縮コーデックとしてＨＤ画質（高画質）およびＳＤ画質（標準画質）が定められ、ＳＤ画質がデフォルトモードとされている場合、ユーザが、ＨＤ画質で撮影記録しようとして、撮影記録の都度、動画圧縮コーデックをＳＤ画質からＨＤ画質に変更するのは、煩わしい。
【００１２】
この発明は、ユーザが特に操作をしなくても、ユーザが普段希望するモードで動画を撮影記録することができるとともに、ユーザがモードを変更して動画を撮影記録しようとするときには、容易にモードを変更することができるようにしたものである。
【課題を解決するための手段】
【００１３】
この発明の画像記録装置は、
動画を撮影する撮像部と、
この撮像部から得られた動画像データを処理する画像処理部と、
この画像処理部の出力の動画像データが記録される記憶装置部と、
記録済みの動画に基づいて、新たに撮影記録する動画についての、少なくとも動画圧縮コーデック、ビットレートおよび画像サイズに関する記録モードを決定する制御部と、
を備えるものである。
【発明の効果】
【００１４】
この発明によれば、少なくとも動画圧縮コーデック、ビットレートおよび画像サイズについては、ユーザが特に操作をしなくても、ユーザが普段希望するモードで動画を撮影記録することができる。また、ユーザがモードを変更して動画を撮影記録しようとするときには、容易にモードを変更することができる。
【発明を実施するための最良の形態】
【００１５】
［１．システム構成の一例：図１］
図１は、この発明の画像記録装置の一例を示し、デジタルビデオカメラとして、動画および静止画を撮影記録することができる場合である。
【００１６】
この例のデジタルビデオカメラ１０では、バス１１に、撮像部２１、画像処理部２７、モニタ表示部２９、音声入力部３１、音声処理部３５、音声出力部３９、記憶装置部１３および制御部１５が接続される。制御部１５には、操作部１７が接続される。
【００１７】
撮像部２１は、撮像光学系２３および撮像素子２５によって構成される。撮像光学系２３は、レンズを含む各種の光学部品、および各種の機構部品によって構成され、外部の被写体からの光を撮像素子２５に取り込む。
【００１８】
撮像素子２５は、ＣＣＤ（Ｃｈａｒｇｅ  Ｃｏｕｐｌｅｄ  Ｄｅｖｉｃｅ）撮像素子やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）撮像素子などの固体撮像素子である。
【００１９】
撮像素子２５からは、撮影された動画または静止画のデジタル画像データが出力される。
【００２０】
画像処理部２７は、撮影記録時には、撮像素子２５の出力の画像データを、各種の補正や調整のために処理した上で圧縮符号化する。圧縮符号化された画像データは、コンテンツファイルとして、記憶装置部１３に記録される。
【００２１】
画像処理部２７は、画像再生時には、記憶装置部１３から読み出された圧縮符号化された画像データを伸長復号する。
【００２２】
モニタ表示部２９は、液晶ディスプレイや有機ＥＬディスプレイなどのディスプレイを備え、そのディスプレイ上に画像または画面を表示するものである。
【００２３】
モニタ表示部２９は、撮影記録時には、画像処理部２７からの圧縮符号化前の画像データによってディスプレイ上に画像を表示し、画像再生時には、画像処理部２７からの伸長復号後の画像データによってディスプレイ上に画像を表示する。
【００２４】
音声入力部３１は、動画の撮影記録時、音声を収録するためのもので、１チャンネルまたは複数チャンネルのマイクロホンおよび音声増幅回路からなる。
【００２５】
音声処理部３５は、動画の撮影記録時、音声入力部３１からのアナログ音声信号をデジタル音声データに変換し、さらに必要に応じて圧縮符号化する。
【００２６】
その圧縮符号化された、または圧縮符号化されない音声データは、対応する動画の圧縮符号化された画像データとともに、コンテンツファイルとして、記憶装置部１３に記録される。
【００２７】
音声処理部３５は、動画再生時、記憶装置部１３から読み出された音声データを、圧縮符号化されているものについては伸長復号した上で、アナログ音声信号に変換して、音声出力部３９に出力する。
【００２８】
音声出力部３９は、１チャンネルまたは複数チャンネルの音声増幅回路およびスピーカ（ヘッドホン）からなる。
【００２９】
記憶装置部１３には、例えば、ディスク状またはカード状の記録媒体が装着される。その記録媒体には、コンテンツファイルとは別に、管理データベースが記録される。
【００３０】
管理データベースは、コンテンツファイルとしての動画または静止画の画像データについての、撮影日時（記録日時）や後述のような各項目の記録モードなどを示す管理情報をファイル形式で示したものである。
【００３１】
制御部１５は、図では省略したが、ＣＰＵ、このＣＰＵが実行すべき各種のプログラムや必要な固定データなどが格納されたＲＯＭ、およびプログラムやデータが展開されるＲＡＭなどによって、コンピュータとして構成される。
【００３２】
制御部１５は、デジタルビデオカメラ１０の各部を制御するとともに、後述のように動画および静止画の記録モードを決定する。
【００３３】
操作部１７は、ユーザが各種の設定や選択を行い、カメラ操作を含む各種の操作を行うものである。
【００３４】
［２．画像記録方法の一例：図２〜図９］
（２−１．記録モード：図２）
図１の例のデジタルビデオカメラ１０で動画または静止画を撮影記録する場合の記録モードは、一例として、図２に示すものである。
【００３５】
記録モードには、動画に係る記録モードと、静止画に係る記録モードとがある。
【００３６】
動画に係る記録モードは、映像に係る記録モードと、音声に係る記録モードとに分けられる。
【００３７】
映像に係る記録モードとしては、動画圧縮コーデック、ビットレート、画像サイズ、およびアスペクト比がある。
【００３８】
動画圧縮コーデックの細分モードは、例えば、ＭＰＥＧ４−ＡＶＣ（Ｈ．２６４）によるＨＤ画質（高画質）、およびＭＰＥＧ２によるＳＤ画質（標準画質）である。
【００３９】
ビットレートの細分モードは、例えば、ＦＨ（フルハイビジョンで、約１６Ｍｂｐｓ）、ＨＱ（ハイクォリティーで、約９Ｍｂｐｓ）、ＳＰ（スタンダードプレイで、約７Ｍｂｐｓ）、およびＬＰ（ロングプレイで、約５Ｍｂｐｓ）である。
【００４０】
動画の場合の画像サイズの細分モードは、例えば、１９２０×１０８０画素、１４４０×１０８０画素、および６４０×４８０画素である。
【００４１】
動画の場合のアスペクト比の細分モードは、例えば、“１６：９”および“４：３”である。
【００４２】
音声に係る記録モードとしては、音声コーデック、およびチャンネル数がある。
【００４３】
音声コーデックの細分モードは、例えば、音声圧縮コーデックの一方式のＡＣ３（Ａｕｄｉｏ  Ｃｏｍｐｒｅｓｓｉｏｎ−３）、および音声非圧縮コーデックのＬＰＣＭ（Ｌｉｎｅａｒ  Ｐｕｌｓｅ  Ｃｏｄｅ  Ｍｏｄｕｌａｔｉｏｎ）である。
【００４４】
チャンネル数の細分モードは、例えば、５．１ｃｈ、および２ｃｈである。
【００４５】
静止画に係る記録モードとしては、画像サイズ、およびアスペクト比がある。
【００４６】
静止画の場合の画像サイズの細分モードは、例えば、３６８０×２７６０画素、３６８０×２０７０画素、および１６００×１２００画素である。
【００４７】
静止画の場合のアスペクト比の細分モードは、例えば、“１６：９”および“４：３”である。
【００４８】
それぞれの記録モードについては、デフォルトモード（デフォルト値）が定められる。
【００４９】
例えば、動画圧縮コーデックは、ＳＤ画質（標準画質）がデフォルトモードであり、ビットレートは、ＳＰ（スタンダードプレイ）がデフォルトモードであり、動画の場合の画像サイズは、１４４０×１０８０画素がデフォルトモードである。
【００５０】
撮影記録された画像には、上記の記録モード以外に、撮影日時、シャッター速度、Ｆ値、ホワイトバランス、シーン認識情報、エフェクト情報、顔認識情報、撮影場所などの属性情報が存在し、または付加される。
【００５１】
シーン認識情報は、人物や風景などのうちのいずれを撮影記録したものかを示す情報である。エフェクト情報は、セピアやモノクロなどとして撮影記録したことを示す情報である。顔認識情報は、顔認識を行ったか否かを示す情報である。
【００５２】
撮影場所は、デジタルビデオカメラ１０がＧＰＳ（Ｇｌｏｂａｌ  Ｐｏｓｉｔｉｏｎｉｎｇ  Ｓｙｓｔｅｍ）による測位機能を有する場合に、その測位機能によって計測された撮影位置である。
【００５３】
これらの属性情報も、撮影日時などを除いては、後述の履歴参照モードにおいて制御部１５によって決定されるべき記録モードの１つとすることができる。
【００５４】
図１の例のデジタルビデオカメラ１０では、以下のように、初期設定モードまたは履歴参照モードで動画または静止画を撮影記録する。
【００５５】
（２−２．初期設定モードでの撮影記録：図３〜図６）
初期設定モードは、図２に示したような記録モードを、それぞれデフォルトモードのまま、またはユーザが個別に指定して、動画または静止画を記録するモードである。
【００５６】
初期設定モードで動画を撮影記録する場合、例えば、ユーザは、操作部１７での操作によって、図３に示すように、モニタ表示部２９の画面上に初期設定モード設定画面４１を呼び出す。
【００５７】
初期設定モード設定画面４１は、（ａ）全ての記録モードをデフォルトモードにするか、（ｂ）記録モードごとにモードを設定するか、ユーザが選択できるように構成される。
【００５８】
ユーザが、全ての記録モードをデフォルトモードにすることを選択した場合には、以後、デジタルビデオカメラ１０の電源をオフにするまでの間、全ての記録モードがデフォルトモードにされる状態で、動画が撮影記録される。
【００５９】
ユーザが、カーソル４２を移動させて、記録モードごとにモードを設定することを選択した場合には、図４に示すように、モニタ表示部２９の画面上に個別設定画面４５が表示される。
【００６０】
個別設定画面４５では、動画圧縮コーデックについては、カーソル４６ａがＳＤ画質（標準画質）を指示し、ビットレートについては、カーソル４６ｂがＳＰ（スタンダードプレイ）を指示する。画像サイズについては、カーソル４６ｃが１４４０×１０８０画素を指示し、アスペクト比については、カーソル４６ｄが“４：３”を指示する。
【００６１】
ユーザは、動画圧縮コーデックをＨＤ画質（高画質）に設定するときには、ＨＤ画質を指示するようにカーソル４６ａを移動させる、というように、カーソルの移動によって記録モードごとにモードを設定する。
【００６２】
記憶装置部１３に動画のコンテンツファイルが１つも記録されていない状態で、上記の初期設定モードで動画が撮影記録されると、図５または図６に示すような動画記録履歴が得られる。
【００６３】
図５の動画記録履歴は、全ての記録モードをデフォルトモードにして、すなわち動画圧縮コーデックをＳＤ画質（標準画質）、ビットレートをＳＰ（スタンダードプレイ）、画像サイズを１４４０×１０８０画素として、動画を撮影記録した結果である。
【００６４】
図６の動画記録履歴は、動画圧縮コーデックをＨＤ画質（高画質）、ビットレートをＦＨ（フルハイビジョン）、画像サイズを１９２０×１０８０画素として、動画を撮影記録した結果である。
【００６５】
上記のように記憶装置部１３に管理データベースが記録される場合、この動画記録履歴は、管理データベースとして示される。
【００６６】
記憶装置部１３に管理データベースが記録されない場合には、個々の動画のコンテンツファイルに付属する情報として、当該の動画の実際の記録モードが示される。
【００６７】
静止画についても、同様の初期設定モードで静止画が撮影記録されると、同様の静止画記録履歴が得られる。
【００６８】
（２−３．履歴参照モードでの撮影記録：図７〜図９）
履歴参照モードでは、動画記録履歴または静止画記録履歴をもとに記録モードを決定して、動画または静止画を撮影記録する。
【００６９】
すなわち、動画を撮影記録する場合には、動画記録履歴をもとに記録モードを決定する。
【００７０】
履歴を参照する対象期間は、当該の動画の撮影記録日時に対して直近の所定日数または所定時間の期間とする。
【００７１】
所定日数は、１日（当日）では短すぎ、数ヶ月や１年では長すぎるので、例えば、３日以上、３０日以下の範囲内で設定する。所定時間の場合も、同様である。
【００７２】
ユーザが、履歴参照モードの内容として、履歴参照の対象期間の日数または時間を、５日または１２０時間などというように設定できるようにしてもよい。
【００７３】
例えば、撮影を頻繁に行い、しかも、ある週は海や山で自然を撮影し、次の週は室内で人物を撮影する、というように、撮影環境や撮影対象が比較的短い期間で変わるようなユーザにとっては、短い日数を設定することが望ましい。
【００７４】
逆に、それほど頻繁に撮影を行わず、しかも、撮影環境や撮影対象もほとんど変わらないユーザにとっては、長い日数を設定することが望ましい。
【００７５】
履歴参照モードでは、動画圧縮コーデック、ビットレートおよび画像サイズについては、この対象期間内の動画記録履歴に最も多く出現するモードを、当該の動画の記録モードとする。
【００７６】
ユーザが履歴参照モードの設定として、動画圧縮コーデック、ビットレートおよび画像サイズ以外の記録モードを、動画記録履歴をもとにモードが決定されるべき記録モードに追加できるように構成することもできる。
【００７７】
図７に、ユーザの操作部１７での操作によってモニタ表示部２９の画面上に呼び出される履歴参照モード設定画面の一例を示す。
【００７８】
この履歴参照モード設定画面５１では、ユーザが、カーソル５２を移動させることによって、上記の対象期間の日数を、あらかじめ定められた複数の日数の中から選択することができる。
【００７９】
さらに、この履歴参照モード設定画面５１では、ユーザが、カーソル５３を移動させることによって、動画圧縮コーデック、ビットレートおよび画像サイズ以外に、動画記録履歴をもとにモードが決定されるべき記録モードを追加することができる。
【００８０】
ユーザがカーソル５３を、「（ａ）追加しない」という欄から、「（ｂ）追加する」という欄に移動させると、図では省略したが、追加対象の他の記録モードを示した選択画面が表示され、ユーザは、追加する記録モードを選択することができる。
【００８１】
動画の撮影記録にあたって、ユーザが特に上記の初期設定モードを選択しなければ、この履歴参照モードで動画が撮影記録される。
【００８２】
履歴参照モードでは、制御部１５は、記憶装置部１３に管理データベースが記録されているときには、その管理データベースから、対象期間内の動画記録履歴を検出する。
【００８３】
記憶装置部１３に管理データベースが記録されていないときには、制御部１５は、記憶装置部１３に記録されている個々の動画のコンテンツファイルに付属する情報から、対象期間内の動画記録履歴を検出する。
【００８４】
さらに、制御部１５は、動画圧縮コーデック、ビットレートおよび画像サイズにつき、それぞれ、検出された対象期間内の動画記録履歴で最も多く出現するモードを、当該の動画の記録モードとして決定する。
【００８５】
動画圧縮コーデック、ビットレートおよび画像サイズ以外に、対象項目に追加された記録モードがある場合には、その記録モードについても、検出された対象期間内の動画記録履歴で最も多く出現するモードを、当該の動画の記録モードとして決定する。
【００８６】
対象期間内の動画記録履歴として、図５に示した動画記録履歴が得られる場合、動画圧縮コーデックはＳＤ画質（標準画質）とされ、ビットレートはＳＰ（スタンダードプレイ）とされ、画像サイズは１４４０×１０８０画素とされる。
【００８７】
対象期間内の動画記録履歴として、図６に示した動画記録履歴が得られる場合、動画圧縮コーデックはＨＤ画質（高画質）とされ、ビットレートはＦＨ（フルハイビジョン）とされ、画像サイズは１９２０×１０８０画素とされる。
【００８８】
図８に、対象期間内の動画記録履歴の他の例を示す。これは、対象期間内に１０本の動画が撮影記録された場合である。
【００８９】
この場合には、図６の場合と同様に、動画圧縮コーデックはＨＤ画質（高画質）とされ、ビットレートはＦＨ（フルハイビジョン）とされ、画像サイズは１９２０×１０８０画素とされて、動画が撮影記録される。
【００９０】
対象期間内に動画が１本も撮影記録されなかった場合には、図５の場合と同様に、動画圧縮コーデック、ビットレートおよび画像サイズが、それぞれデフォルトモードとされて、動画が撮影記録される。
【００９１】
図９に、履歴参照モードで制御部１５が実行する一連の処理の一例を示す。
【００９２】
この例の履歴参照モード処理では、デジタルビデオカメラ１０の起動後、制御部１５は、まずステップ６１で、記憶装置部１３に記録媒体が装着されているか否かを判断する。
【００９３】
記録媒体が装着されていない場合には、制御部１５は、ステップ６１からステップ６２に進んで、モニタ表示部２９での表示、または音声出力部３９からのアナウンスによって、ユーザに記録媒体を装着すべきことを警告する。
【００９４】
ステップ６１で記録媒体が装着されていると判断したときには、制御部１５は、ステップ６３に進んで、その記録媒体に管理データベースが記録されているか否かを判断する。
【００９５】
記録媒体に管理データベースが記録されている場合には、制御部１５は、ステップ６３からステップ６４に進んで、管理データベースに記録されている管理情報を読み込んで、ステップ６６に進む。
【００９６】
記録媒体に管理データベースが記録されていない場合には、制御部１５は、ステップ６３からステップ６５に進んで、各コンテンツファイルに付属する情報を読み込んで、ステップ６６に進む。
【００９７】
ステップ６６では、制御部１５は、その読み込んだ管理情報または付属情報から、図５、図６または図８に示したような、対象期間内の動画記録履歴を検出する。
【００９８】
次に、制御部１５は、ステップ６７で、その動画記録履歴をもとに、上記のように記録モードを決定する。
【００９９】
次に、制御部１５は、ステップ６８で、その決定した記録モードで動画を撮影記録する。
【０１００】
なお、ステップ６７で決定された記録モードを、ユーザに通知し、呈示するように構成してもよい。この場合、ユーザが、その決定された記録モードを変更することができるように構成することもできる。
【０１０１】
以上は動画を撮影記録する場合であるが、同様の履歴参照モードで静止画を撮影記録することができる。
【０１０２】
［３．他の実施形態］
画像記録装置としては、動画を撮影記録する機能を有するものであれば、デジタルスチルカメラのようなデジタルカメラでもよい。
【０１０３】
また、コンテンツファイルとして記録済みの動画は、必ずしも、デジタルビデオカメラやデジタルスチルカメラなどの画像記録装置や、これに装着される記録媒体に保存されている必要はない。
【０１０４】
例えば、コンテンツファイルとして記録済みの動画は、パーソナルコンピュータやホームサーバなどに移され、画像記録装置や、これに装着される記録媒体からは消去されていてもよい。
【０１０５】
この場合にも、画像記録装置や、これに装着される記録媒体に、上記のような管理データベースが記録されていれば、対象期間内の動画記録履歴を検出し、上記のように記録モードを決定することができる。
【図面の簡単な説明】
【０１０６】
【図１】この発明の画像記録装置の一例を示す図である。
【図２】動画および静止画についての記録モードの一例を示す図である。
【図３】初期設定モード設定画面の一例を示す図である。
【図４】個別設定画面の一例を示す図である。
【図５】動画記録履歴の一例を示す図である。
【図６】動画記録履歴の一例を示す図である。
【図７】履歴参照モード設定画面の一例を示す図である。
【図８】動画記録履歴の一例を示す図である。
【図９】履歴参照モードで制御部が実行する一連の処理の一例を示す図である。
【符号の説明】
【０１０７】
主要部については図中に記述したので、ここでは省略する。
【図１】
2010057000.tif 000003
【図２】
2010057000.tif 000004
【図３】
2010057000.tif 000005
【図４】
2010057000.tif 000006
【図５】
2010057000.tif 000007
【図６】
2010057000.tif 000008
【図７】
2010057000.tif 000009
【図８】
2010057000.tif 000010
【図９】
2010057000.tif 000011